(57)【特許請求の範囲】
【請求項１】
絶縁性ガスを封入した接地容器と、該接地容器内に設けられた固定接触子及び該固定接触子と接離する可動接触子を有する電流遮断部と、前記可動接触子を駆動する操作器とを備えたガス遮断器において、
前記操作器が前記接地容器の略真下に配置されていると共に、前記可動接触子と連結部材を介して連結する接地容器側主回転軸と、前記操作器に設けられ前記接地容器側主回転軸を介して前記可動接触子を駆動するための回転力を出力する主出力軸とが、前記固定接触子と可動接触子との接離方向に同軸上に配置されていることを特徴とするガス遮断器。
【請求項２】
前記接地容器側主回転軸と前記主出力軸とがギアカップリングで連結されていることを特徴とする請求項１記載のガス遮断器。
【請求項３】
前記ギアカップリングは、前記操作器側の主出力軸に取り付けられる主出力側スプラインギアと、前記接地容器側主回転軸に取り付けられる主回転軸側スプラインギアと、前記主出力側スプラインギアと主回転軸側スプラインギアを連結する外筒スプラインギアとで構成されている請求項２記載のガス遮断器。
【請求項４】
前記操作器は、該操作器を上下前後左右に移動させる移動用滑車を備えていることを特徴とする請求項１記載のガス遮断器。
【請求項５】
電力を輸送するための金属導体及び機械的に接離する接点をそれぞれ有する、母線用接地容器と、ガス遮断器と、線路側接地容器とを備え、前記ガス遮断器は、絶縁性ガスを封入した接地容器と、該接地容器内に設けられた固定接触子及び該固定接触子と接離する可動接触子を有する電流遮断部と、前記可動接触子を駆動する駆動力を出力する操作器とを有するガス絶縁開閉装置において、
、前記操作器が前記接地容器の略真下に配置されていると共に、前記可動接触子と連結部材を介して連結する接地容器側主回転軸と、前記操作器に設けられ前記接地容器側主回転軸を介して前記可動接触子を駆動するための回転力を出力する主出力軸とが、前記固定接触子と可動接触子との接離方向に同軸上に配置され、かつ前記主出力軸で出力する回転トルクがギアカップリングを介して前記接地容器側主回転軸に伝達されることを特徴とするガス絶縁開閉装置。
【発明の詳細な説明】
【０００１】
【発明の属する技術分野】
本発明は、絶縁性ガスを封入した接地容器内に設けられた固定接触子と固定接触子と接離する可動接触子とから構成される電流遮断装置を備えたガス遮断器及びそれを備えたガス絶縁開閉装置に関するものである。
【０００２】
【従来の技術】
従来のガス遮断器において、可動接触子を動かす可動部品と可動接触子に駆動力を伝達するための操作器との接続には、多くの部品を必要としていると同時に、操作器出力軸の回転系の動きをレバーやロッドを介して一度直線系の運動に変換した後、再び回転運動に変換し、その後、リンク、レバーを介して再度可動接触子を直線運動に変換するという複雑な構成をしている。
【０００３】
また、特開平5-266765号公報記載の絶縁開閉装置では、図８に示すように、機構箱２内の可動部品と操作器３との接続に必要な部品を配置するためのスペースを開閉装置本体１の付近に確保する必要があるために、操作器３を開閉装置本体１の真下に配置することができなくなり、操作器３は、開閉装置本体１の脇に配置されている。
【０００４】
【発明が解決しようとする課題】
前述したように、特開平5-266765号公報記載の接続構造及び操作器配置を採用した場合、操作器を開閉装置本体、言い替えると接地容器の真下に配置することができないので、装置全体の外形寸法が大きくなり、発電所・変電所スペースの有効活用や経済性の向上と言った社会的ニーズに十分に対応できないという問題があった。
【０００５】
また、可動接触子に駆動力を伝達するための操作器と可動部品との接続に必要な部品は電流開閉時高速に動作するため、保守点検時の作業安全面から見て問題があると共に、可動する部品数が多いので組立が複雑になり組立性及び品質面で問題があった。また、開閉時、駆動する部品質量が増加し、可動接触子を有効に駆動するための操作器駆動力を低減することが困難になるという問題があった。
【０００６】
本発明の目的は、小型で、かつ組立性及び整備性のよいガス遮断器及びガス絶縁開閉装置を提供することにある。
【０００７】
【課題を解決するための手段】
上記目的を達成するために、本発明におけるガス遮断器の特徴とするところは、接地容器内に設けられた固定接触子と接離する可動接触子を駆動する操作器が接地容器の略真下に配置されていると共に、可動接触子と連結部材を介して連結する接地容器側主回転軸と、操作器に設けられ接地容器側主回転軸を介して可動接触子を駆動するための回転力を出力する主出力軸とが、固定接触子と可動接触子との接離方向に同軸上に配置されていることにある。
【０００８】
具体的には本発明は次に掲げるガス遮断器及びガス絶縁開閉装置を提供する。
本発明は、絶縁性ガスを封入した接地容器と、該接地容器内に設けられた固定接触子及び該固定接触子と接離する可動接触子を有する電流遮断部と、前記可動接触子を駆動する操作器とを備えたガス遮断器において、前記操作器が前記接地容器の略真下に配置されていると共に、前記可動接触子と連結部材を介して連結する接地容器側主回転軸と、前記操作器に設けられ前記接地容器側主回転軸を介して前記可動接触子を駆動するための回転力を出力する主出力軸とが、前記固定接触子と可動接触子との接離方向に同軸上に配置されていることを特徴とするガス遮断器を提供する。
【０００９】
好ましくは、前記接地容器側主回転軸と前記主出力軸とがギアカップリングで連結されている。
【００１０】
好ましくは、前記ギアカップリングは、前記操作器側の主出力軸に取り付けらる主出力側スプラインギアと、前記接地容器側主回転軸に取り付けらる主回転軸側スプラインギアと、前記主出力側スプラインギアと主回転軸側スプラインギアを連結する外筒スプラインギアとで構成されている。
【００１１】
好ましくは、前記操作器は、該操作器を上下前後左右に移動させる移動用滑車を備えている。
【００１２】
また、本発明は、電力を輸送するための金属導体及び機械的に接離する接点をそれぞれ有する、母線用接地容器と、ガス遮断器と、線路側接地容器とを備え、前記ガス遮断器は、絶縁性ガスを封入した接地容器と、該接地容器内に設けられた固定接触子及び該固定接触子と接離する可動接触子を有する電流遮断部と、前記可動接触子を駆動する駆動力を出力する操作器とを有するガス絶縁開閉装置において、前記操作器が前記接地容器の略真下に配置されていると共に、前記可動接触子と連結部材を介して連結する接地容器側主回転軸と、前記操作器に設けられ前記接地容器側主回転軸を介して前記可動接触子を駆動するための回転力を出力する主出力軸とが、前記固定接触子と可動接触子との接離方向に同軸上に配置され、かつ前記主出力軸で出力する回転トルクがギアカップリングを介して前記接地容器側主回転軸に伝達されることを特徴とするガス絶縁開閉装置を提供する。
【００１３】
【発明の実施の形態】
以下、本発明の一実施の形態例に係るガス遮断器及びそれを備えたガス絶縁開閉装置を、図を用いて説明する。
【００１４】
図１は、本発明の一実施の形態例に係わるガス遮断器の構成を示す側面図である。
【００１５】
図１に示すように、ガス遮断器100は、予めモータあるいは手動操作により、圧縮され蓄勢したばね力117を駆動源とし回転出力する主出力軸102を有する操作器101と、絶縁性ガスを封入した接地容器104と、該接地容器104内に設けられた固定接触子115と該固定接触子115と接離する可動接触子116とを有する電流遮断部とで構成されている。可動接触子116は、連結部材のリンク107、レバー108及び109を介して接地容器側主回転軸110に連結している。
【００１６】
操作器101は接地容器104の略真下に設けられた操作器箱111内に配置され、かつ操作器101の主出力軸102と接地容器104側の主回転軸110とは、同軸上に配置されギアカップリング120で連結されている。
【００１７】
また、操作器101には、操作器101を上下前後左右の任意方向に移動させる移動用滑車500が設けられている。移動用滑車500は、車輪500aと滑車昇降ボルト500bとを有している。
【００１８】
上述したように、操作器101を接地容器104の略真下に配置することにより、操作器101が接地容器104よりはみ出すことがなく、ガス遮断器100の小型化が図れ、据付け面積の低減を図ることができる。
【００１９】
また、電流開閉時、高速で動作する可動部品を操作器箱１１１内に配置することにより、安全性の向上を図ることができる。
【００２０】
図２は、図１のガス遮断器のギアカップリング120の詳細構造を示す。ギアカップリング120は、操作器101側の主出力軸102に取り付けられる主出力軸側スプラインギア103と、接地容器側主回転軸110に取り付けられる主回転軸側スプラインギア105と、主出力軸側スプラインギア103と主回転軸側スプラインギア205を連結するための外筒スプラインギア106とで構成されている。
【００２１】
図３は、本発明の一実施の形態例に係るガス遮断器を備えたガス絶縁開閉装置の側面図であり、図４は、図３のガス絶縁開閉装置の正面図である。
【００２２】
操作器を、機器の保守点検時、又はトラブルの発生時、操作器箱から取り外す場合を想定し、図３、図４を用いて説明する。機器据え付け面積の低減は社会的ニーズとして強く要求されているため、図３、図４に示すように、各機器は非常に接近して設置されることが多くなってきている。
【００２３】
本ガス絶縁開閉装置は、本発明の一実施の形態例に係るガス遮断器100'と、発電所・変電所外より電力を引き込むための線路側接地容器302と、他回線機器306,307と電気的に接続する母線用接地容器303,304とで構成される。各接地容器内には、電力を輸送するための金属導体及び機械的に接離する接点を有している。
【００２４】
図４に示すように、他回線機器306,307の各回線と当該回線が非常に近接しているため、操作器101'の保守点検作業を行う場合、機器のある一面(本図の場合はＰ矢印面)のみからのアクセスが可能なだけとなり、小型化された操作器箱111'の内部にまで十分なメンテナンス作業を施すことが困難であり、かつ性能維持上問題となっている。
【００２５】
上記背景から、操作器101'を独立して操作器箱111'から完全に引き出した状態でメンテナンス作業を行うことは、点検作業の信頼性、作業性、安全性と言った観点からも大きな利点を有している。
【００２６】
次に、操作器の着脱時の作業順序を、説明する。操作器101を操作器箱111内に搬入し、操作器101側の主出力軸102と接地容器側主回転軸110を連結する場合は、まず、図５に示すように、予め外筒スプラインギア106を接地容器側主回転軸110に取り付けられている主回転軸側スプラインギア105にネジ404を用いて固定し、また、操作器101側の主出力軸102に主出力軸側スプラインギア103を取り付けておく。
【００２７】
次に、図６に示すように、滑車昇降ボルト500bをねじ込み、操作器101を浮かし、手動によって操作器101を操作器箱111内に格納して行く。移動用滑車500は操作器101に４箇所程度設けられており、左右前後任意に移動可能な球形状の車輪500aを有しており芯ずれの微調整を行うことが可能である。
【００２８】
次に、操作器101の主出力軸102の中心と接地容器側主回転軸110の軸芯とが一致し外筒スプラインギア106が容易にかみ合うことを確認した後、操作器101を操作器箱取り付け板にボルト締めする。この時、ギアカップリング120は多少の軸同士の芯ずれを許容できるように、クラウニングと呼ばれるギアにＲ形状を施した加工となっている。
【００２９】
本ギアカップリング120を適用する代わりに、一般的なスプラインを使用しても構造的には本発明と同様なガス遮断器を実現することは可能である。しかし、この場合、操作器脱着時に必然的に生じる操作器主出力軸と接地容器側主回転軸の芯ずれを吸収することは難しい。
【００３０】
そのため、比較的作業の自由度の高い工場内組立作業時は取付け可能であっても、機器納入後の点検で操作器を一度取り外すと再度取り付けることは困難となる。これは一般的なスプラインの穴と軸が厳しい勘合となっているのと同時に軸穴の傾きを許容しない構造であるためである。
また、本発明では、ギアカップリング120のみの芯ずれ吸収可能寸法では、操作器101の取り外し後の取付けが不可能となる可能性を完全に排除するため、図７に示す工夫も施している。接地容器側主回転軸110を支持するボス130もギャップ131だけ移動可能なように配慮し、万が一ギアカップリング120のみで芯ずれを吸収できない時は、ギャップ131を調整し、芯ずれを吸収することができる。
【００３１】
前述した構造により、組立性を向上させ、操作器点検時等に実施する操作器101の取外し、再組立作業を短時間に且つ容易に行うことが可能となった。
【００３２】
また、機器の小形化による機器据え付け面積の低減と開閉時高速に動作する可動部品を操作器箱内に完全に収納することで点検時の安全性も向上させることが可能となった。
【００３３】
【発明の効果】
本発明によれば、接地容器の略真下への操作器配置が可能となることで、ガス遮断器の小型化が図れ、ガス絶縁開閉装置の据付け面積の低減を図ることができる。
【００３４】
また、接地容器側主回転軸と操作器の主出力軸とを、固定接触子と可動接触子との接離方向に同軸上に配置することにより、開閉時可動する部品数が低減でき、組立性を向上させることができる。
【００３５】
また操作器の主出力軸と接地容器側主回転軸との連結に、ギアカップリングを用い、操作器に移動用滑車を取り付けることにより、操作器箱より完全に操作器を引き出すことができ、点検時作業性、メンテナンス作業性を大幅に向上させることができる。
【図面の簡単な説明】
【図１】本発明の一実施の形態例に係わるガス遮断器の構成を示す側面図である。
【図２】図１のガス遮断器のギアカップリングの詳細構造図である。
【図３】本発明の一実施の形態例に係るガス遮断器を備えたガス絶縁開閉装置の側面図である。
【図４】図３のガス絶縁開閉装置の正面図である。
【図５】操作器側の主出力軸と接地容器側主回転軸とを連結部を示す図である。
【図６】操作器に設けられた移動用滑車の詳細構造図である。
【図７】接地容器側主回転軸部の構成図である。
【図８】従来のガス絶縁開閉装置での操作器取付け構造を示す図である。
【符号の説明】
100,100'…ガス遮断器、101,101'…操作器、102…操作器主出力軸、103…主出力軸側スプラインギア、104…接地容器、105…主回転軸側スプラインギア、106…外筒スプラインギア、107…リンク、108,109…レバー、110…接地容器側主回転軸、111,111'…操作器箱、115…固定接触子、116…可動接触子、117…圧縮ばね、120…ギアカップリング、130…ボス、131…ギャップ、302…線路側接地容器、303,304…母線用接地容器、306,307…他回線機器、404…ネジ、500…移動用滑車、500a…車輪、500b…滑車昇降ボルト
【図１】
0003663090.tif 000002
【図２】
0003663090.tif 000003
【図３】
0003663090.tif 000004
【図４】
0003663090.tif 000005
【図５】
0003663090.tif 000006
【図６】
0003663090.tif 000007
【図７】
0003663090.tif 000008
【図８】
0003663090.tif 000009